(57)【特許請求の範囲】
【請求項１】
筆記体の内部に熱変色性インキを収容し、前記筆記体の前端に前記熱変色性インキが吐出可能なペン先を設け、軸筒内に前記筆記体を前後方向に移動可能に収容するとともに前記軸筒内に前記筆記体を後方に付勢する弾発体を収容し、前記軸筒の後端孔から後方にノック体を突出させ、前記ノック体を前方に押圧することによりペン先を軸筒の前端孔から突出させる出没機構を備え、前記ノック体の外面に、前記熱変色性インキの筆跡を摩擦しその際に生じる摩擦熱で前記熱変色性インキの筆跡を熱変色可能な弾性材料からなる摩擦部を設け、前記ノック体の外面に弾性材料からなる係止部を設け、前記摩擦部と前記係止部とを共通の弾性材料で形成し、前記係止部を、前記軸筒の後端部内面に形成した規制部に当接させることによりノック体の後方移動を規制してなることを特徴とする熱変色性筆記具。
【請求項２】
前記摩擦部と前記係止部とを一体に連設してなる請求項１記載の熱変色性筆記具。
【発明の詳細な説明】
【技術分野】
【０００１】
本発明は、熱変色性筆記具に関する。詳細には、後端のノック体を前方に押圧することよってペン先が突出する出没式の熱変色性筆記具に関する。
【背景技術】
【０００２】
特許文献１には、軸筒内に筆記体を前後方向に移動可能に収容し、軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の外面に、前記熱変色性インキの筆跡を摩擦しその際に生じる摩擦熱で該筆跡を熱変色可能な摩擦部を設けた熱変色性筆記具が開示されている。
【０００３】
また、特許文献１の図１２には、軸筒の後端部に操作部を設け、前記操作部を軸筒の前部に対して前方に押圧操作することによりペン先没入状態からペン先突出状態にする出没機構を備え、操作部の後端外面に摩擦部を設けた構成が開示されている。しかし、この構成の熱変色性筆記具は、ペン先突出状態を解除した際、弾発体による後方付勢によって勢いよく筆記体が後退し、筆記体に衝撃が加わるおそれがある。前記筆記体に衝撃が加わると、インキが後退してペン先より筆記体内に空気が混入し、筆記不良を生じる可能性がある。
【先行技術文献】
【特許文献】
【０００４】
【特許文献１】国際公開第２００８／１０５２２７号パンフレット
【発明の概要】
【発明が解決しようとする課題】
【０００５】
本発明は、前記従来の問題点を解決するものであって、ノック体の摩擦部によって熱変色性の筆跡を熱変色させることができるとともに、ペン先突出状態を解除した際のノック体の後退時の衝撃を緩和し、ペン先からの空気混入を防止できる後端ノック式の出没機構を備えた熱変色性筆記具を提供しようとするものである。
尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００６】
［１］本願の第１の発明は、筆記体５の内部に熱変色性インキを収容し、前記筆記体５の前端に前記熱変色性インキが吐出可能なペン先５１を設け、軸筒２内に前記筆記体５を前後方向に移動可能に収容するとともに前記軸筒２内に前記筆記体５を後方に付勢する弾発体を収容し、前記軸筒２の後端孔４１から後方にノック体８を突出させ、前記ノック体８を前方に押圧することによりペン先５１を軸筒２の前端孔３１から突出させる出没機構を備え、前記ノック体８の外面に、前記熱変色性インキの筆跡を摩擦しその際に生じる摩擦熱で前記熱変色性インキの筆跡を熱変色可能な弾性材料からなる摩擦部８３を設け、前記ノック体８の外面に弾性材料からなる係止部８２を設け、前記摩擦部８３と前記係止部８２とを共通の弾性材料で形成し、前記係止部８２を、前記軸筒２の後端部内面に形成した規制部４２に当接させることによりノック体８の後方移動を規制してなることを要件とする。
【０００７】
前記第１の発明の熱変色性筆記具１は、ノック体８の外面に、前記熱変色性インキの筆跡を摩擦しその際に生じる摩擦熱で前記熱変色性インキの筆跡を熱変色可能な弾性材料からなる摩擦部８３を設け、前記ノック体８の外面に弾性材料からなる係止部８２を設け、前記摩擦部８３と前記係止部８２とを共通の弾性材料に形成し、前記係止部８２を、前記軸筒２の後端部内面に形成した規制部４２に当接させることによりノック体８の後方移動を規制してなることにより、ノック体８の摩擦部８３によって熱変色性の筆跡を熱変色させることができるとともに、ペン先突出状態を解除した際のノック体８の後退時の衝撃を緩和し、ペン先５１からの空気混入を防止でき、しかも、ノック体８に弾性材料からなる摩擦部８３と係止部８２とを容易に設けることができる。
【０００８】
［２］本願の第２の発明は、前記第１の発明の熱変色性筆記具１において、前記摩擦部８３と前記係止部８２とを一体に連設してなることを要件とする。
【０００９】
前記第２の発明の熱変色性筆記具１は、前記摩擦部８３と前記係止部８２とを一体に連設してなることにより、ノック体８に弾性材料からなる摩擦部８３と係止部８２とを、より一層容易に設けることができる。
【発明の効果】
【００１０】
本発明は、ノック体の摩擦部によって熱変色性の筆跡を熱変色させることができるとともに、ペン先突出状態を解除した際のノック体の後退時の衝撃を緩和し、ペン先からの空気混入を防止できる。
【図面の簡単な説明】
【００１１】
【図１】本発明の実施の形態のペン先没入状態を示す縦断面図である。
【図２】図１のペン先突出状態を示す縦断面図である。
【図３】図１の出没機構を示す分解図である。
【図４】熱変色性インキの変色挙動を示す説明図である。
【発明を実施するための形態】
【００１２】
本発明の実施の形態を図１及び図３に示す。
本実施の形態の熱変色性筆記具１は、軸筒２と、該軸筒２内に収容される筆記体５と、該筆記体５のペン先５１を軸筒２の前端孔３１より出没自在にさせる出没機構とを備える。
【００１３】
・軸筒
前記軸筒２は、前軸３と、該前軸３の後端に着脱自在に連結される後軸４とからなる。
【００１４】
・前軸
前記前軸３は、先細円筒状の合成樹脂の成形体または金属加工体である。前記前軸３の前端には前端孔３１が前後方向に貫設される。前記前軸３の後端開口部外面には、オネジ部３２が一体に形成される。
【００１５】
・後軸
前記後軸４は、円筒状の合成樹脂の成形体または金属加工体である。前記後軸４の後端には、後端孔４１が前後方向に貫設される。前記後軸４の後端部内面には段形状の規制部４２が一体に形成される。前記後軸４の後端孔４１より前方の内面には、カム部６が一体に形成される。前記後軸４の外面には、クリップ４３が一体に突出形成される。前記後軸４の前端開口部内面には、メネジ部４４が一体に形成される。前記メネジ部４４と前軸３のオネジ部３２とが螺合可能である。
【００１６】
・筆記体
前記筆記体５は、ペン先５１と、該ペン先５１が前端開口部に圧入固着されたインキ収容管５２と、該インキ収容管５２内に充填される熱変色性インキと、該熱変色性インキの後端に充填され且つ該熱変色性インキの消費に伴い前進する追従体（例えば高粘度流体）とからなる。
【００１７】
・熱変色性インキ
前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１８】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００１９】
本実施の形態では、図４に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用される。図４において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２０】
本実施の形態では、前記熱変色性インキの摩擦部８３の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部８３による摩擦熱で容易に変色することができる。
【００２１】
前記ペン先５１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管５２の後端開口部に、インキ収容管５２と外部とが通気可能な通気孔を備えた尾栓を取り付けてもよい。
【００２２】
・出没機構
前記出没機構は、回転カム機構を用いたノック式出没機構であり、軸筒２内面に形成されたカム部６に係合し且つ筆記体５の後端に当接する回転部材７と、該回転部材７に係合し且つ軸筒２の後端孔４１より後方に突出するノック体８と、軸筒２内に収容され且つ筆記体５を後方に付勢する弾発体９（例えば圧縮コイルスプリング）とからなる。本実施の形態の出没機構は、ペン先突出操作及びペン先没入操作のいずれもがノック体８を前方に押圧操作するダブルノック式である。
【００２３】
図３の（ａ）に示すように、ノック体８の前端には、回転部材７の突条７１の後端と係合するカム歯８１を備える。ノック体８の前端部外面には、カム部６のカム溝６２内を前後方向に摺動可能なガイド突条８２を備え、それにより、カム部６に対するノック体８の回転が阻止される。図３（ｂ）に示すように、回転部材７の外面には、長手方向に延びる４本の突条７１を備える。前記突条７１が、カム部６のカム歯６１及びカム溝６２に係合される。図３（ｃ）に示すように、カム部６は、前方に突出する鋸歯状の複数のカム歯６１と、該カム歯６１間に形成されるカム溝６２とを備える。
【００２４】
・ペン先の出没
ペン先没入状態からノック体８を弾発体９による後方付勢に抗して前方に押圧操作すると、ノック体８の前端が回転部材７を前方に押圧し、前記回転部材７の突条７１がカム溝６２に沿って前方に移動する。前記回転部材７が前方に移動することに伴って、前記回転部材７が筆記体５の後端を前方に押圧し、ペン先５１が前端孔３１より外部に突出される。このとき、前記ノック体８のカム歯８１と前記回転部材７の突条７１との当接によって回転部材７がカム部６に対して一定角度だけ回転する。それにより、前記回転部材７の突条７１がカム部６のカム歯６１に係合され、ペン先突出状態が維持される。
【００２５】
ペン先突出状態からノック体８を前方に押圧操作すると、ノック体８の前端が回転部材７を前方に押圧し、前記ノック体８のカム歯８１と前記回転部材７の突条７１との当接によって回転部材７がカム部６に対して一定角度だけ回転する。それによって、前記突条７１とカム部６のカム歯６１との係合状態が解除され、弾発体９による後方付勢により、前記突条７１がカム部６のカム溝６２に沿って後方に移動する。前記回転部材７が後方に移動することに伴って、筆記体５が後方に移動し、ペン先没入状態となる。前記ガイド突条８２（係止部）はカム部６の後方の規制部４２に係止し、ペン先没入状態が維持される。
【００２６】
・係止部及び摩擦部
図１及び図２に示すようにノック体８は、前端が開口され且つ後端が閉鎖された有底円筒体からなる。前記ノック体８の前端には、カム歯８１が一体に形成される。前記ノック体８の前端部外周面にはガイド突条８２が一体に形成される。前記ノック体８の前端部は、軸筒２内に常時収容される。一方、前記ノック体８の後端部は、軸筒２の後端孔４１より後方に突出される。前記ノック体８のガイド突条８２が、本発明の係止部となり、ペン先没入時、前記係止部が前記軸筒２の後端部内面の規制部４２に係止し、ノック体８の後方移動が規制される。
【００２７】
前記ノック体８の外面には、弾性材料からなる外皮が形成される。前記外皮は、ノック体８の頂部から係止部に至る領域を覆うように形成される。
【００２８】
前記弾性材料からなる外皮により、前記ノック体の頂部には、弾性材料からなる摩擦部８３が形成される。前記摩擦部８３を用いて、筆記体５のペン先５１による熱変色性インキの筆跡を擦ることによりその際の摩擦熱で該筆跡を熱変色させることができる。前記ノック体８の後端部外面は凸曲面状に形成され、前記ノック体８の後端部外面に凸曲面状の摩擦部８３が形成される。
【００２９】
さらに、前記弾性材料からなる外皮により、前記ノック体８の係止部外面（ガイド突条８２外面）が弾性材料により形成されるため、ペン先没入時、ノック体８の係止部と軸筒２の規制部４２との前後方向の当接によりノック体８の脱落が防止されるとともに、前記係止部と軸筒２の規制部４２との当接による衝撃を緩和でき、ペン先５１からの空気の混入を抑止できる。
【００３０】
前記ノック体８を構成する弾性材料（軟質材料）は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記ノック体８を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【００３１】
前記弾性材料からなる外皮（摩擦部８３及び係止部８２）は、ノック体８の外面に、弾性材料からなる別部材を嵌着、螺着、係合、接着、圧入、または２色成形により一体に形成されることにより構成できる。また、ノック体８の全体を弾性材料により一体に形成することによっても、摩擦部８３及び係止部８２を弾性材料から構成することができる。
【００３２】
本実施の形態の熱変色性筆記具１は、ノック体８の外面に、前記熱変色性インキの筆跡を摩擦しその際に生じる摩擦熱で前記熱変色性インキの筆跡を熱変色可能な弾性材料からなる摩擦部８３を設け、前記ノック体８の外面に弾性材料からなる係止部８２を設け、前記摩擦部８３と前記係止部８２とを共通の弾性材料で形成し、前記係止部８２を、前記軸筒２の後端部内面に形成した規制部４２に当接させることによりノック体８の後方移動を規制してなることにより、ノック体８の摩擦部８３によって熱変色性の筆跡を熱変色させることができるとともに、ペン先突出状態を解除した際のノック体８の後退時の衝撃を緩和し、ペン先５１からの空気混入を防止でき、しかも、ノック体８に弾性材料からなる摩擦部８３と係止部８２とを容易に設けることができる。
【００３３】
本実施の形態の熱変色性筆記具１は、前記摩擦部８３と前記係止部８２とを一体に連設してなることにより、ノック体８に弾性材料からなる摩擦部８３と係止部８２とを、より一層容易に設けることができる。
【符号の説明】
【００３４】
１  熱変色性筆記具
２  軸筒
３  前軸
３１  前端孔
３２  オネジ部
４  後軸
４１  後端孔
４２  規制部
４３  クリップ
４４  メネジ部
５  筆記体
５１  ペン先
５２  インキ収容管
６  カム部
６１  カム歯
６２  カム溝
７  回転部材
７１  突条
８  ノック体
８１  カム歯
８２  ガイド突条（係止部）
８３  摩擦部
９  弾発体
【図１】
0005457263.tif 000002
【図２】
0005457263.tif 000003
【図３】
0005457263.tif 000004
【図４】
0005457263.tif 000005